(57)【特許請求の範囲】
【請求項１】
配線挿通口を介して対面配置された対をなす天板と、前記配線挿通口の下方に位置するように配された幕板と、この幕板の上に配された配線ダクトとを備えた家具システムであって、
前記配線ダクトが、前記配線挿通口に沿って取り付け位置を変更可能な態様で前記幕板の上に設けられたベースと、このベースの両側縁にヒンジを介して設けられた側壁とを備えたものであり、前記側壁を前記ベースに対して起立した状態で使用できるようにしたものである家具システム。
【請求項２】
前記幕板の上に、複数の前記配線ダクトが配置されている請求項１記載の家具システム。
【請求項３】
前記配線ダクトが、前記幕板の上縁部に外嵌する嵌合溝を、前記ベースの下面側に設けてなるものである請求項１又は２記載の家具システム。
【請求項４】
前記嵌合溝の深さ寸法が、起立した状態の前記側壁の上端と前記天板の下面との間の離間寸法よりも大きく設定されている請求項３記載の家具システム。
【請求項５】
請求項１記載の家具システムに用いられる配線ダクトであって、
前記ヒンジを介して連結された前記ベースと前記側壁とが、合成樹脂により一体に成形されている配線ダクト。
【請求項６】
前記ベースに、磁石が接着し得る金属製の補助ベースが設けられている請求項５記載の配線ダクト。
【請求項７】
前記ベースが、その両側縁に、起立した状態の前記側壁を係止するための位置決め壁を備えている請求項５又は６記載の配線ダクト。
【請求項８】
前記位置決め壁と前記側壁との間に、当該側壁を起立した状態に保持するための係合部が設けられている請求項７記載の配線ダクト。
【発明の詳細な説明】
【技術分野】
【０００１】
本発明は、オフィス等において好適に使用される家具システム、及び、当該家具システムに用いられる配線ダクトに関する。
【背景技術】
【０００２】
従来から、配線挿通口を介して対面配置された対をなす天板と、配線挿通口の下方に位置するように配された幕板と、この幕板の上に配された配線ダクトとを備えた家具システムが知られている（例えば、特許文献１を参照）。
【０００３】
ところで、従来の配線ダクトは、殆どが板金製のものであり、幕板に対してビス止め等により止着されている。このため、配線挿通口に挿通された配線を作業者が処理する必要上、天板の下面と配線ダクトの上縁との間には、一定程度の幅のある隙間が形成されたものとなっていた。
【０００４】
近時、使用者等においては、その隙間を介して幕板に仕切られている他方側の下肢空間が一方側から視認され得ることを気にする場合があり、設置環境等に応じて必要な場合には、隙間を塞ぐためのオプションを後付けすることにより対応していた。
【先行技術文献】
【特許文献】
【０００５】
【特許文献１】特開２００５−４０４４３号公報
【発明の概要】
【発明が解決しようとする課題】
【０００６】
本発明は、以上のような事情に着目してなされたもので、天板と配線ダクトとの間に一定以上の隙間が形成され難いようにするための設計の自由度に優れた家具システム、及び、この家具システムに適用される配線ダクトを提供することにある。
【課題を解決するための手段】
【０００７】
すなわち、本発明は次の構成をなしている。
【０００８】
請求項１に係る発明は、配線挿通口を介して対面配置された対をなす天板と、前記配線挿通口の下方に位置するように配された幕板と、この幕板の上に配された配線ダクトとを備えた家具システムであって、前記配線ダクトが、前記配線挿通口に沿って取り付け位置を変更可能な態様で前記幕板の上に設けられたベースと、このベースの両側縁にヒンジを介して設けられた側壁とを備えたものであり、前記側壁を前記ベースに対して起立した状態で使用できるようにしたものである家具システムである。
【０００９】
請求項２に係る発明は、前記幕板の上に、複数の前記配線ダクトが配置されている請求項１記載の家具システムである。
【００１０】
請求項３に係る発明は、前記配線ダクトが、前記幕板の上縁部に外嵌する嵌合溝を、前記ベースの下面側に設けてなるものである請求項１又は２記載の家具システムである。
【００１１】
請求項４に係る発明は、前記嵌合溝の深さ寸法が、起立した状態の前記側壁の上端と前記天板の下面との間の離間寸法よりも大きく設定されている請求項３記載の家具システムである。
【００１２】
請求項５に係る発明は、請求項１記載の家具システムに用いられる配線ダクトであって、前記ヒンジを介して連結された前記ベースと前記側壁とが、合成樹脂により一体に成形されている配線ダクトである。
【００１３】
請求項６に係る発明は、前記ベースに、磁石が接着し得る金属製の補助ベースが設けられている請求項５記載の配線ダクトである。
【００１４】
請求項７に係る発明は、前記ベースが、その両側縁に、起立した状態の前記側壁を係止するための位置決め壁を備えている請求項５又は６記載の配線ダクトである。
【００１５】
請求項８に係る発明は、前記位置決め壁と前記側壁との間に、当該側壁を起立した状態に保持するための係合部が設けられている請求項７記載の配線ダクトである。
【発明の効果】
【００１６】
以上説明したように本発明によれば、天板と配線ダクトとの間に一定以上の隙間が形成され難いようにするための設計の自由度に優れた家具システム、及び、この家具システムに適用される配線ダクトを提供することができるものとなる。
【図面の簡単な説明】
【００１７】
【図１】本発明の一実施形態を示す斜視図。
【図２】同実施形態における配線ダクト（展開状態）の斜視図。
【図３】同実施形態における配線ダクト（展開状態）を示す平面図。
【図４】図３におけるＸ−Ｘ線断面図。
【図５】図３におけるＹ−Ｙ線断面図。
【図６】同実施形態における配線ダクト（使用状態）を示す斜視図。
【図７】同実施形態における配線ダクト（展開状態）を示す斜視図。
【図８】同実施形態における配線ダクト（使用状態）を示す正面図。
【図９】図９におけるＺ−Ｚ線断面図。
【図１０】同実施形態における正面図。
【図１１】同実施形態における正面図。
【図１２】図１０におけるＶ−Ｖ線断面図。
【図１３】同実施形態における配線ダクトを示す斜視図。
【発明を実施するための形態】
【００１８】
以下、本発明の一実施形態を、図１〜１３を参照して説明する。
【００１９】
この実施形態は、本発明を、オフィスにおいて好適に使用される家具システムＡに適用したものである。
【００２０】
家具システムＡは、いわゆる両面タイプのテーブルＢと、このテーブルＢに取り付けて使用される配線ダクトＣとを有したものである。家具システムＡは、配線挿通口ｓａを介して対面配置された対をなす天板１と、配線挿通口ｓａの下方に位置された幕板２と、この幕板２の上に配された複数の配線ダクトＣとを備えている。
【００２１】
まずは、家具システムＡを構成するテーブルＢについて説明する。
【００２２】
テーブルＢは、天板１を長手方向に複数配列させることにより、所望の長さの連続的な天板面を得られるように構成されている。テーブルＢは、平面視において長方形をなすいわゆる島型配置を構成し得るものである。なお、当該テーブルＢの構造は、通常のものであるため、この明細書においてはその一部を図示して説明するものとし、テーブルＢを構成する天板１や幕板２の内部構造についても図において模式化している。
【００２３】
テーブルＢは、脚たる端部脚４に支持された対をなす天板１と、平面視において対をなす天板１間に位置付けられた幕板２とを備えている。
【００２４】
各天板１は、その一端を、壁状をなす端部脚４に支持させるとともに他端を図示しない中間脚又は端部脚に支持させている。両天板１の反使用端ｅ１間には、パソコン等の電気機器の配線を挿通させるための配線挿通口ｓａが形成されている。各端部脚４の内方端間には、幕板２の端部である取付部２２が介設されている。
【００２５】
幕板２は、板状をなす幕板本体２１と、この幕板本体２１の端部に設けられた取付部２２とを備えたものである。
【００２６】
幕板本体２１は、その上端部２１ａに複数の配線ダクトＣが長手方向に移動可能に配されている。幕板本体２１の上端部２１ａは、略水平をなし上方向を向く上端面ｓ１と、この上端面ｓ１に対して略直交し水平方向を向く側面ｓ２とを備えている。幕板本体２１は、上端面ｓ１が、天板１の下面１ａよりも所定の距離ｗ１だけ下方に離れて位置するように配設されている。
【００２７】
取付部２２は、角柱状のものであり、幕板本体２１と略同一の厚み寸法に設定されている。取付部２２の上面は、天板１の上面と略合致するように位置付けられている。取付部２２における前後の端面（すなわち各天板１の使用端ｅ２側を向く端面）には、端部脚４に設けられた図示しない爪を係合させるためのフック孔２２ａが形成されている。
【００２８】
なお、幕板本体２１、及び、取付部２２は、それぞれ板金製のものであるが、図１２においては、内部を省略して示してある。取付部２２の上端部には、蓋体３を回動可能に支持するための支持部２２ｂが設けられている。配線挿通口ｓａを開閉し得る蓋体３、及び、当該蓋体３を支持するための支持部２２ｂについては、通常のものであるため説明及び詳細な図示を省略する。
【００２９】
以上に述べたテーブルＢにおける幕板２の上部に、複数の配線ダクトＣを着脱でき、且つ、幕板２に対してスライド移動させて位置を変更できるように取り付けている。
【００３０】
次いで、家具システムＡを構成する配線ダクトＣについて説明する。
【００３１】
配線ダクトＣは、合成樹脂により一体に形成されたものである。配線ダクトＣは、テーブルＢの配線挿通口ｓａに沿って取り付け位置を変更可能な態様で、幕板２の上に設けられるベース５と、このベース５の両端縁すなわち前後の端縁にヒンジＨを介して設けられた側壁６とを備えている。配線ダクトＣは、ベース５に対して側壁６が起立した状態に保持されたチャンネル状をなす使用状態（ｈ）と、ベース５とともに側壁６が水平姿勢をなした展開状態（ｉ）とを採り得るものとなっている。ベース５と側壁６とは、合成樹脂により一体に成形されたものである。ベース５と側壁６との間に設けられたヒンジＨは、樹脂ヒンジ形式のもの、すなわち、樹脂により薄肉状に形成され弾性変形し易く構成されたものである。配線ダクトＣは、使用状態（ｈ）において、ベース５に対して側壁６を起立させた態様で使用できるように構成されている。
【００３２】
ベース５は、下面側に嵌合溝Ｍを有したものであり、平板状をなすベース本体５１と、このベース本体５１の両縁部に立設された位置決め壁５２と、ベース本体５１の下面に垂設された対をなす垂下壁５３とを備えている。
【００３３】
嵌合溝Ｍは、幕板２の上端部２１ａに外嵌し得るものである。嵌合溝Ｍの深さ寸法ｗ２は、起立させた側壁６の上端６ａと天板１の下面１ａとの間の離間寸法ｗ３よりも大きく設定されている。嵌合溝Ｍは、幕板２の上端部２１ａに密に嵌合し得る幅寸法に設定されている。嵌合溝Ｍは、ベース５を構成する垂下壁５３とベース本体５１における対をなす側壁６間の中央部分とによって形成されている。嵌合溝Ｍには、幕板２の上端面ｓ１と係わり合う天井リブｒ１と幕板２の側面ｓ２と係わり合う内側リブｒ２とがそれぞれ嵌合溝Ｍの長手方向に間隔をあけて複数箇所に設けられている。つまり、天井リブｒ１は、ベース本体５１における下面側すなわち嵌合溝Ｍの天井面ｍ１に設けられており、内側リブｒ２は、垂下壁５３における内側面ｍ２に設けられている。これら天井リブｒ１、及び、内側リブｒ２によって、幕板２の上端面ｓ１及び側面ｓ２が、嵌合溝Ｍの天井面ｍ１や内側面ｍ２に対して面的に密着するのを防止している。嵌合溝Ｍの実質的な深さ寸法ｗ２は、垂下壁５３の下端５３ａと天井リブｒ１の下端縁との上下方向の離間寸法となる。
【００３４】
ベース本体５１は、その下面に、変形を抑制するための複数枚の補強リブ５１ａが形成されている。ベース本体５１には、上面から下面に貫通する複数のスリットｓｌ１が垂下壁５３の外側に位置するように形成されている。このスリットｓｌ１には、図５に想像線で示すように、下向きチャンネル状をなす金属製の補助ベース７の両端部分を挿通させることができ、これによりベース本体５１に補助ベース７を取り付けることができる。垂下壁５３の外側面には、補助ベース７の両端部分の内面と係わり合う突起５３ｂが形成されている。補助ベース７は、磁石が接着し得る金属製のものであり、ベース５に設けられている。補助ベース７は、金属の表出面がベース本体５１上に位置することになる。このため、例えば、磁石を利用して位置決め保持させ得るタイプのコンセント等を配線ダクトＣ内に収容する場合に、コンセント等を補助ベース７に接着させることができるようになる。
【００３５】
位置決め壁５２は、ベース本体５１の長手方向に沿って形成されたものであり、両端部及び中間部に切欠部５２ａが形成されている。この切欠部５２ａについては後で詳述する。
【００３６】
垂下壁５３は、対をなしたもので、ベース本体５１の下面から下方に向かって延びている。垂下壁５３は、複数の補強リブ５１ａと接続している。
【００３７】
側壁６は、ベース５に対して起立した態様に保持された起立位置（ｊ）と、起立位置（ｊ）に保持されていない態様である倒れ位置（ｋ）とを採り得るものとなっている。側壁６は、平板状をなす側壁本体６１と、この側壁本体６１における基端部の内面側に突設された対をなす突起６２とを備えたものである。
【００３８】
側壁本体６１は、長方形状をなす板状のものであり、その基端縁がヒンジＨを介してベース本体５１の縁部に回動可能に接続されている。
【００３９】
突起６２は、側壁本体６１の内面側へ膨出した角柱状のもので、側壁本体６１における下部の両側端部に対をなして設けられている。突起６２の内方面を構成する壁部６２ａ、すなわち、対をなす突起６２において対向している側の壁部６２ａは、当該壁部６２ａの両側に形成されたスリットｓｌ２の存在により厚み方向に弾性変形し得るようになっている。突起６２の内部空間（すなわち側壁６の外側からみて凹陥した空間）は、側壁本体６１の外面側に開放されており、対向する壁部６２ａの先端である自由端６２ｃは、側壁本体６１の外側に露出している。すなわち、壁部６２ａは、突起６２を構成する先端側の部位によって片持ち状態で支持されている。
【００４０】
しかして、ベース５の位置決め壁５２と側壁６との間には、側壁６を起立位置（ｊ）に保持するための係合部Ｄが設けられている。すなわち、ベース５の位置決め壁５２には、係合部Ｄを構成する切欠部５２ａを備えており、側壁６には、係合部Ｄを構成する突起６２を備えている。
【００４１】
係合部Ｄは、位置決め壁５２の切欠部５２ａを形成する内側の切欠端縁５２ｂと、突起６２の対向する壁部６２ａの外面に設けられた係合突部６２ｂとを主体に構成されたものであり、側壁６を倒れ位置（ｋ）から起立位置（ｊ）に向かって回動させて、突起６２をベース５の切欠部５２ａに挿入させることにより係合突部６２ｂが切欠部５２ａの切欠端縁５２ｂに弾性係合し、側壁６がベース５に対して起立した姿勢すなわち起立位置（ｊ）に保持されるようになっている。
【００４２】
係合部Ｄの係合状態を解除して、側壁６を倒す場合には、側壁６の外面側に露出した壁部６２ａの自由端６２ｃを、係合突部６２ｂが切欠部５２ａの切欠端縁５２ｂから外れる方向に操作する。側壁６における突起６２の内側には、矢印が表されたガイド表示部６３が設けられており、このガイド表示部６３に従って壁部６２ａを操作すれば係合部Ｄの係合状態は解除される。
【００４３】
以上説明したように、本実施形態に係る家具システムＡは、配線挿通口ｓａを介して対面配置された対をなす天板１と、配線挿通口ｓａの下方に位置するように配された幕板２と、この幕板２の上に配された配線ダクトＣとを備えたものである。そして、配線ダクトＣが、配線挿通口ｓａに沿って取り付け位置を変更可能な態様で幕板２の上に設けられたベース５と、このベース５の両側縁にヒンジＨを介して設けられた側壁６とを備えたものであり、側壁６をベース５に対して起立した状態で使用できるようにしたものである。このため、天板１と配線ダクトＣとの間に一定以上の隙間が形成され難いようにするための設計の自由度に優れた家具システムＡ、及び、この家具システムＡに適用される配線ダクトＣを提供することができるものとなる。つまり、ヒンジＨを介して側壁６をベース５に対して倒れた態様にして、配線ダクトＣを幕板２の上に装着することができる。その後、側壁６をベース５に対して起立した状態にすることができる。よって、この家具システムＡであれば、天板１と配線ダクトＣとの間に一定以上の隙間が形成され難いようにするための設計の自由度に優れたものとなる。
【００４４】
配線ダクトＣの両側壁６を起立した状態に保持しておけば、配線ダクトＣに本来の配線案内機能、及び、配線収容機能を発揮させることができる。そして、配線ダクトＣは、対をなす側壁６を倒すことができるため、配線の設置作業や変更作業を容易に行うことができる。このように、配線ダクトＣにおいて、側壁６を倒したり起立したりすることができるようにしてあれば、従来の配線ダクトＣのように側壁６の上端と天板１下面との間に配線の出し入れ等を行うための隙間を大きく形成しておく必要がなくなる。すなわち、起立させた状態の側壁６の上端６ａと天板１の下面１ａとの間の隙間を可及的に小さくしておくことができるものとなる。したがって、この配線ダクトＣを有した家具システムＡであれば、他方側の下肢空間が、一方側から視認され難いものとなっている。
【００４５】
幕板２の上に、複数の配線ダクトＣが配置されている。このため、床から立ち上げた各種の配線を配線ダクトＣ内に導くための空間ｓｐを所望の箇所に形成し易いものとなる。例えば、図１０に示すものは、三つの配線ダクトＣの両側に、配線導入用の空間ｓｐを形成した場合を一例として示したものである。図１１に示すものは、図中左側から二つ目の配線ダクトＣと三つ目の配線ダクトＣとの間に、配線導入用の空間ｓｐを形成した場合のものである。
【００４６】
配線ダクトＣが、幕板２の上縁部２１ａに外嵌する嵌合溝Ｍを、ベース５の下面側に設けてなるものである。このため、幕板２に対する配線ダクトＣの装着が容易なものとなる。
【００４７】
嵌合溝Ｍの深さ寸法ｗ２が、起立した状態の側壁６の上端６ａと天板１の下面１ａとの間の離間寸法ｗ３よりも大きく設定されている。このため、使用状態における配線ダクトＣに不測の外力等が作用するようなことがあっても、配線ダクトＣが幕板２から外れることが好適に抑制されるものとなっている。
【００４８】
家具システムＡに用いられる配線ダクトＣは、ヒンジＨを介して連結されたベース５と側壁６とが、合成樹脂により一体に成形されている。このため、軽量化に資するものとなり、テーブルＢに対する設置作業も比較的容易に行うことができるものとなる。
【００４９】
配線ダクトＣのベース５が、その両側縁に、起立した状態の側壁６を係止するための位置決め壁５２を備えている。このため、側壁６を適切な起立状態すなわち起立位置（ｊ）において位置決めさせることができるものとなる。
【００５０】
位置決め壁５２と側壁６との間に、当該側壁６を起立した状態に保持するための係合部Ｄが設けられている。このため、側壁６を適切な起立位置（ｊ）において保持することができるものとなる。
【００５１】
なお、本発明は、以上に詳述した実施形態に限られるものではない。
【００５２】
テーブルの構成は種々の構成のものが考えられ、本発明の趣旨を逸脱しない限り種々の態様のものが適用されるものである。
【００５３】
配線ダクトの幕板に対する取り付けは、上述した実施形態のように嵌合溝との幕板の上端部との嵌合によるものには限られず、ビス等の止着具を用いることによって、配線ダクトを幕板に対して取り付けるようにしてもよい。
【００５４】
配線ダクトは、必ずしも合成樹脂により一体に成形されたものでなくてもよい。すなわち、他の素材により構成されたものでもあってもよいし、各構成部分が別個独立した部品によって形成されていてもよい。
【００５５】
ベースと側壁間に設けられたヒンジは、上述した実施形態のように、可撓性を発揮し得る薄肉の樹脂部分を利用したいわゆる樹脂ヒンジ形式のものでなくてもよい。例えば、軸を利用して相対回動可能に構成したヒンジを適用したものであってもよい。
【００５６】
家具システムを構成する配線ダクトは、必ずしも複数でなくてもよく、単一であってもよい。
【００５７】
その他、各部の具体的構成についても上記実施形態に限られるものではなく、本発明の趣旨を逸脱しない範囲で種々変形が可能である。
【符号の説明】
【００５８】
１…天板
２…幕板
５…ベース
６…側壁
Ａ…家具システム
Ｃ…配線ダクト
Ｈ…ヒンジ
ｓａ…配線挿通口
【図１】
0006610215.tif 000002
【図２】
0006610215.tif 000003
【図３】
0006610215.tif 000004
【図４】
0006610215.tif 000005
【図５】
0006610215.tif 000006
【図６】
0006610215.tif 000007
【図７】
0006610215.tif 000008
【図８】
0006610215.tif 000009
【図９】
0006610215.tif 000010
【図１０】
0006610215.tif 000011
【図１１】
0006610215.tif 000012
【図１２】
0006610215.tif 000013
【図１３】
0006610215.tif 000014